(57)【要約】【課題】  設置スペースが小さくい度調節機構を設けた加工装置のカバーを提供する。【解決手段】  精密加工機等を覆うカバーの屋根は温度調節用の機器を備えた温度調節装置からの空気の入口から前方に向って下方向に傾斜させるとともに、小孔を複数個設けた床面に対して水平の天井板を設け、屋根と天井板とで形成する空間部を介して温度制御された空気をカバー内に導入し、このカバー内を恒温状態に保つことを特徴とする精密加工機等のカバー。【選択図】  図１
2010064175.tif 000002
【特許請求の範囲】
【請求項１】
精密加工機を覆うカバーであって、
前記カバーの屋根は、温度調節用の機器を有する温度調節装置からの空気の入口から前方に向って下方向に傾斜させるとともに、
前記屋根の下部にそなえられ、床面に対して水平で、かつ小孔を複数個設けた天井板を設け、
前記屋根と前記天井板とで形成する空間部を介して、前記天井板の前記子孔から温度制御された空気を前記温度調節装置から前記カバー内に導入し前記カバー内を恒温状態に保つ恒温室と、
を備えたことを特徴とする精密加工機のカバー。
【請求項２】
前記精密加工機のカバーは、さらに、前記恒温室には、前精密加工機およびその加工域を区別する仕切り板を設けるとともに、
加工域のオイルミストを回収するミストコレクタと、
前記温度調節措置に備えられ、外気を選択的に出し入れするドアと、
を備えて構成し、
前記ドアを開閉することにより選択的に内部循環型あるいは内部循環型＋外気導入型とする、ことを特徴とする請求項１記載の精密加工機等のカバー。
【請求項３】
前記カバーは、断熱材を用いることを特徴とする請求項１ないし請求項２に記載の精密加工機のカバー。
【請求項４】
前記カバーは、さらに、その裾部分に柔軟な形状を取り得る部材を備えて構成し、精密加工機の設置される床の形状に対応可能にしたことを特徴とする請求項１ないし請求項３に記載の精密加工機のカバー。
【発明の詳細な説明】
【技術分野】
【０００１】
本発明は温調装置を備えた工作機械や精密加工機等に使用されるカバーに関する。
【背景技術】
【０００２】
従来から工作機械、特に高精度を必要とする精密加工機の加工に際しては、機械装置の各部の温度変化、および周囲の雰囲気の温度変化等により加工物の精度を確保することが困難であるため、温度制御した空調室内に機械装置を設置し、運転する必要があった。
【０００３】
例えば図３に示すように、特開２００４‐２５５４９４号公報には、室５内にパテーション６を設け、このパテーション６内にカバー７を付けた加工装置１を据え付け、室５内に設けた温調節器３からパテーション６および装置カバー７内にコンプレッサー２を介して高精度に温度制御された圧縮空気を空気配管４により矢印のように導入し、機械および加工エリアの温度変動幅を小さくし、高精度に温度制御する方法が知られている。
【特許文献１】特開２００４‐２５５４９４号公報
【発明の開示】
【発明が解決しようとする課題】
【０００４】
しかしながら、従来方法ではカバーの付いた加工装置をパ−ティッションで覆うため、設置スペースが大きかった。
【０００５】
前述の欠点を解消するために、発明者は、設置スペースを小さく、しかも高精度に温度制御する方法を種々検討した結果、精密機械等の機械装置のカバーに温度調節機構を設け、このカバー内を高精度に温度制御すれば良いという結論に達し、本発明に至った。
【課題を解決するための手段】
【０００６】
前述の目的を達成するため本発明は、精密加工機を覆うカバーであって、カバーの屋根は、温度調節装置からの空気の入口から奥に向って下方向に傾斜させるとともに、屋根の下部にそなえられ、床面に対して水平で、かつ小孔を複数個設けた天井板を設け、屋根と天井板とで形成する空間部を介して、天井板の子孔から温度制御された空気を温度調節装置から前記カバー内に導入しカバー内を恒温状態に保つ恒温室と、
を備えたことを特徴とする精密加工機のカバーとした。
【０００７】
またカバーは、加工機およびその加工域を区別する仕切り板を設けるとともに、加工域にオイルミストを回収するミストコレクタと、外気を選択的に出し入れするドアを設け、選択的にドアを開閉すれば内部循環型或いは内部循環型＋外気導入型とすることが可能な精密加工機等のカバーとなる。
【０００８】
このカバーは、断熱材を用いることにより周囲の雰囲気からカバー内を恒温状態に保つことが可能な精密加工機等のカバーとすることが出来る。また、このカバーは、さらに、その裾部分に柔軟な形状を取り得る部材を備えて構成し、精密加工機の設置される床の形状に対応可能にした。
【発明の効果】
【０００９】
この発明によれば設置スペースを小さく、しかも温度制御された空気を精密加工機等のカバー内に送ることが出きる。
【発明を実施するための最良の形態】
【００１０】
次に本発明の一実施形態例を、図１および図２により説明する。
１０は、鎖線で示す精密な工作機械にて代表される精密加工機（以下単に加工機という）１１を覆うカバーで、このカバー１０の温度調節のための機器３０を収納する温度調節装置１２によりカバー１０の上部にある入口１３から温度制御された空気をカバー１０内に導入するようにしている。このカバー１０は、屋根１４を空気入口１３から前方、すなわち図中では右方）に向って下方向に傾斜させるとともに、小孔１５を複数個設けた床面ＦＬに対して水平の天井板１６を設けてあり、屋根１４と天井板１６の形成する空間部１７に温度制御された空気を導入し、導入された空気が矢印ａのようにカバー１０内の恒温室全体に行き亘るようにしてある。
【００１１】
またカバー１０は、ワーク加工のために恒温とすべき恒温室が加工機本体域１８と実際に加工動作が行われる加工域１９を別けるとともに、加工域１９における切削油等を受けるオイルパン２０を兼ねた仕切り板２１が設けてあり、この加工域１９の側面には加工域１９内のオイルミストを吸込むオイルコレクタ２２が設けてある。
【００１２】
さらにカバー１０の加工域１９上部にはドア２３、２４が設けてあり、このドア２３、２４を自動或いは手動により選択的に開閉し、被加工物を出し入れする。また、温度調節装置１２にある外気吸入扉２６から温度調節装置１２内に、自動又は手動制御により吸込む空気により、温度調節装置１２内の温度調節機器３０のヒータによりカバー１０内部の空気がオイルミスト等を吸込み爆発が起きないようにしている。無論、このカバーでは、ミストオイルなどによる爆発防止には、温度変化をあまり心配しないような場合、必要に応じドア２３および２４を自動または手動により開閉制御し、空気を導入してもよい。
【００１３】
従って、カバー１０内は、ドア２３、２４を閉じ、外気吸入扉２６を閉めたときは内部循環型に、また外気吸入扉２６を開放したときは内部循環型＋外気導入型にすることが可能である。また、このカバ１０は、外部との断熱の効率を上げるため、ポリウレタン等の断熱材を用いて。なお、このカバーは、床面に対し裾の部分、つまりスカート４０の部分は、柔軟な変形可能な材料、例えばビニールシート、ナイロンシート、プラススチックシートなどの高分子のシートが使用され、空気流通が遮断されて、床の形状に対し対応可能にして、恒温を保持し易くしている。この部分厚手にし空気遮断をした不織布、織布などでも良いものと思われる。
【００１４】
以上のように構成されているので、本発明のカバーでは、カバー内は温度調節された空気に満たされて恒温状態が確保される。しかも従来在った加工機のカバーの外側にパテーション等で囲う必要がなく、内部循環型および内部循環型＋外気導入型の選択可能にできる。さらに加工機の設置スペースも外部恒温室などが必要なく、機械と一体的に小さくできる。
【図面の簡単な説明】
【００１５】
【図１】この発明の適用される精密加工機械等のカバーの説明図である。
【図２】この発明の適用される精密加工機械等のカバーの説明図で、図１のＺ矢視図である。
【図３】従来の精密加工機械等のカバーの説明図である。
【符号の説明】
【００１６】
１０  精密加工機カバー
１１  精密加工機
１２  温度調節装置
１３  空気入口
１４  屋根
１５  小孔
１６  天井板
１７  空間部
１８  加工機本体域
１９  加工域
２０  オイルパン
２１  仕切り板
２２  オイルコレクタ
２３、２４  ドア
２５  吸引口
２６  外気吸入扉
３０  温度調節用機器
４０  スカート（裾部分）
【図１】
2010064175.tif 000003
【図２】
2010064175.tif 000004
【図３】
2010064175.tif 000005